(57)【要約】      （修正有）【課題】筐体の外部に配置された金属部品と筐体の内部に収容された回路基板との確実な電気接続と筐体の防水性が得られるとともに、良好な組立性が得られる電子機器を提供する。【解決手段】第１筐体および第２筐体は、その間に設けられている案内部材のレール３０に沿って相対的に移動可能である。第１筐体の壁部２４に設けられた貫通孔２７にはピン部材２６が挿通されており、ピン部材２６は貫通孔２７に挿通された軸部２６１と、軸部２６１の端部に設けられた鍔部２６２を有する。鍔部２６２は第１筐体の内側において第１筐体に収容されている回路基板に接続されるレール３０とともに壁部２４に押圧され、壁部２４と鍔部２６２との間には、防水部材２６４が設けられている。また、ピン部材２６は、第１筐体の外側において外側端部がレールに係合されており、ピン部材２６の軸部２６１が第１筐体の外側に引き出される方向に力が発生するように係合している。【選択図】図３
2012191557.tif 000002
【特許請求の範囲】
【請求項１】
互いに積層され、積層方向に対して直交する方向に沿って相対的に移動可能な第１筐体および第２筐体と、
前記第１筐体および前記第２筐体間に配置され、前記第１筐体の外面に沿ってレールが設けられた案内部材と、
前記第１筐体に収容された回路基板と、
前記第１筐体の壁部に設けられた貫通孔に挿通される軸部を有するとともに、前記第１筐体の外側において外側端部が前記レールに係合されるピン部材と、
前記ピン部材が、前記第１筐体の内側において前記軸部の端部に設けられ、前記回路基板に接続されるとともに前記壁部に押圧される鍔部と、前記壁部と前記鍔部との間に介装されて圧縮される防水部材とを有し、
前記ピン部材の前記外側端部に対して前記レールが係合されたときに、前記ピン部材の軸部が前記第１筐体の外側に引き出されるような力が発生する電子機器。
【請求項２】
請求項１に記載の電子機器であって、
前記ピン部材が、前記第１筐体の外側において前記軸部に設けられた段部を有し、
前記レールが、当該レールの長手方向端部に設けられ、前記軸部を軸線に対して直交する方向に沿って挟持するとともに前記段部に係合する挟持部を有する電子機器。
【発明の詳細な説明】
【技術分野】
【０００１】
本発明は、二つの筐体が相対的にスライドする電子機器において、防水構造の筐体内の回路基板と筐体の外側の金属部品とを電気的に接続した電子機器に関するものである。
【背景技術】
【０００２】
従来より、防水構造の筐体内の回路基板と筐体の外側の金属部品とを電気的に接続する電子機器が知られている（例えば、特許文献１参照）。
図５に示すように、特許文献１に記載の電子機器は、腕時計型携帯電話機等の携帯型送受信機１００であり、防水構造の筐体である本体ケース１０１内には回路基板１０２が収容されている。また、本体ケース１０１の外側には、金属部品であるアンテナ１０３が取り付けられている。
【０００３】
本体ケース１０１内の回路基板１０２と、本体ケース１０１外のアンテナ１０３とは、アンテナ１０３に一体的に設けられているピン型導通部材１０４および導通用板ばね部材１０５を介して電気的に接続される。
ピン型導通部材１０４は、導通用貫通穴１０６に挿嵌されて、防水接着剤１０７で固定されて防水している。また、導通用板ばね部材１０５は、一端が回路基板１０２に接続され、他端がばね力によりピン型導通部材１０４に押し付けられて電気的に接続されている。
【先行技術文献】
【特許文献】
【０００４】
【特許文献１】特開２００４−４８４４９号公報（第１図）
【発明の概要】
【発明が解決しようとする課題】
【０００５】
しかしながら、前述した特許文献１に記載の携帯型送受信機１００においては、導通用板ばね部材１０５がピン型導通部材１０４に確実に接触するためにはある程度のばね力が必要となり、ピン型導通部材１０４を脱落する方向（すなわち、外側）へ付勢することになる。
このため、確実な電気的接続および防水性を得るためには、ピン型導通部材１０４を導通用貫通孔１０６にきつく圧入することが望まれるが、組立性を悪化させるおそれがあるという問題があった。
【０００６】
本発明は、従来の問題を解決するためになされたもので、筐体の外部に配置された金属部品と筐体の内部に収容された回路基板との確実な電気接続と筐体の防水性が得られるとともに、良好な組立性が得られる電子機器を提供することを目的とする。
【課題を解決するための手段】
【０００７】
本発明の電子機器は、互いに積層され、積層方向に対して直交する方向に沿って相対的に移動可能な第１筐体および第２筐体と、前記第１筐体および前記第２筐体間に配置され、前記第１筐体の外面に沿ってレールが設けられた案内部材と、前記第１筐体に収容された回路基板と、前記第１筐体の壁部に設けられた貫通孔に挿通される軸部を有するとともに、前記第１筐体の外側において外側端部が前記レールに係合されるピン部材と、前記ピン部材が、前記第１筐体の内側において前記軸部の端部に設けられ、前記回路基板に接続されるとともに前記壁部に押圧される鍔部と、前記壁部と前記鍔部との間に介装されて圧縮される防水部材とを有し、前記ピン部材の前記外側端部に対して前記レールが係合されたときに、前記ピン部材の軸部が前記第１筐体の外側に引き出されるような力が発生するものである。
【０００８】
また、本発明の電子機器は、前記ピン部材が、前記第１筐体の外側において前記軸部に設けられた段部を有し、前記レールが、当該レールの長手方向端部に設けられ、前記軸部を軸線に対して直交する方向に沿って挟持するとともに前記段部に係合する挟持部を有するものである。
【発明の効果】
【０００９】
本発明は、鍔部は防水部材を介して壁部に押し付けられるので、貫通孔における確実な防水性を得ることができる。また、ピン部材を介して回路基板とレールとが接続されるので、確実な電気接続を得ることができる。また、レールをピン部材の外側端部に係合させることにより回路基板とレールを接続できるので、容易に組み立てることができるという効果を有する電子機器を提供できる。
【図面の簡単な説明】
【００１０】
【図１】本発明に係る実施形態の電子機器を下筐体側から見た分解斜視図
【図２】ピン部材とレールとの接続を示す斜視図
【図３】図２中ＩＩＩ−ＩＩＩ位置の断面図
【図４】（Ａ）ないし（Ｃ）はレールを下筐体に取り付ける工程を示す断面図
【図５】従来の電子機器の断面図
【発明を実施するための形態】
【００１１】
以下、本発明に係る実施形態の電子機器について、図面を用いて説明する。
なお、以下の説明において、特記する場合を除き、「上」（上方、上側、正面等を含む。）とは、電子機器を通常使用する状態における上をいい、「下」（下方、下側、下面等を含む。）とは通常使用する状態における下をいうこととする。
図１に示すように、本発明に係る実施形態の電子機器１０は、防水機能を有する第１筐体である下筐体２０の上（図１において下）に第２筐体である上筐体４０を積層して有する例えば携帯端末である。上筐体４０と下筐体２０とは、相対的にスライド可能に連結されている。
【００１２】
図１に示すように、下筐体２０は、下方（図１において上方）が開口（開口部２１２）した矩形箱状の部材であるケース２１と、ケース２１の開口部２１２を密閉するカバー２２とから、防水機能を有する矩形箱状に形成される。
ケース２１は、壁部である矩形板状のベースプレート２４と、ベースプレート２４の外周縁に沿って立設された縦壁２５を有し、縦壁２５の下端（図１において上端）が開口部２１２となる。
ケース２１の内部には、回路基板２３が収容されて、ベースプレート２４の内面２４１に固定される。
【００１３】
下筐体２０のケース２１の外面である上面（図１において下面）２１１には、ケース２１の幅方向両端部に長手方向に沿って、一対の案内部材であるレール３０、３０が取り付けられている。レール３０は、強度が要求されるので、金属製となっている。
一方、上筐体４０の下面（図１において上面）４１には、レール３０に沿って移動可能な一対のスライダ４２が取り付けられている。
これにより、上筐体４１と下筐体２０は、長手方向に相対的に所定距離だけ移動可能に支持される。
【００１４】
下筐体２０外部の金属部品であるレール３０はアンテナ性能に悪影響を及ぼすため、ＧＮＤ接続する必要がある。また、レール３０を介して下筐体２０と上筐体４０とがスライド可能に支持されるため、レール３０を下筐体２０に対して高強度で取り付けることが要求される。
このため、下筐体２０の外面２４２にレール３０を取り付けるために、ベースプレート２４に貫通孔２７（図３参照）を設けるとともに、ベースプレート２４の内面２４１側から外面２４２側に貫通孔２７を貫通するピン部材２６を設けた。
また、ベースプレート２４には、貫通孔２７に対応して、貫通ねじ孔２８が設けられている。この貫通ねじ孔２８は、後述するように、レール３０の他端部をねじ２９で固定するためのものである。
【００１５】
図２に示すように、ピン部材２６は金属製であり、下筐体２０内部において回路基板２３に電気的に接続されるとともに、下筐体２０の外部においてレール３０を支持して導通している。
ピン部材２６は、円柱形状の軸部２６１の下端（図２において上端）に例えば矩形板状の鍔部２６２を有し、鍔部２６２の上面（図２において下面であり、軸部２６１側面）には、ゴムパッキンのような防水部材２６４が取り付けられている。なお、鍔部２６２の下面（図２において上面）は、回路基板２３に接触する。
【００１６】
なお、軸部２６１の外径は、ベースプレート２４の貫通孔２７の内径よりも小さい。従って、軸部２６１は貫通孔２７に挿通可能である。
また、軸部２６１の外側端部２６５には、段部として例えば円板形状の笠部２６３を有する。笠部２６３の外径は、貫通孔２７の内径よりも小さいが、軸部２６１の外径よりも大きい。従って、笠部２６３は貫通孔２７を通過可能であり、軸部２６１の外側端部２６５において外側に突出している。
【００１７】
図３に示すように、ベースプレート２４の貫通孔２７にベースプレート２４の内面２４１側から取り付けられたピン部材２６は、鍔部２６２が防水部材２６４を介してベースプレート２４の内面２４１に当接する。軸部２６１は貫通孔２７を貫通し、笠部２６３はベースプレート２４の下面から下方へ突出する。
【００１８】
図２および図３に示すように、レール３０は、金属製の細長い帯板状部材であり、長手方向端部であるピン部材側端部３１の先端には、挟持部として２本の係止突起３２、３２が設けられていて、両係止突起３２の間には係止空間３３が形成されている。両係止突起３２の間隔、すなわち係止空間３３の幅は、ピン部材２６の軸部２６１の外径よりも大きく、かつ、笠部２６３の外径よりも小さい。レール３０の下面３０１における係止空間３３に沿った縁部には、ピン部材２６の笠部２６３を収容する段差３６が設けられている。
【００１９】
また、係止突起３２には、先端に向かって尖るように、厚さ方向の中央部側に傾斜した傾斜面３２１、３２２が設けられている。傾斜面３２１、３２２は平面形状でもよいし、外側に凸の曲面形状でも可能である。
また、図３に示すように、レール３０におけるピン部材２６と反対側の端部３４には、ねじ孔３５が形成されている。なお、ねじ孔３５の周囲に防水部材３５１を設けて、ねじ孔３５の防水を確保する。
【００２０】
次に、レール３０の取付け方について説明する。
図４（Ａ）に示すように、ベースプレート２４の貫通孔２７にピン部材２６の笠部２６３および軸部２６１を挿通し、軸部２６１の一部と笠部２６３をベースプレート２４の外面２４２から外側へ突出させておく。
レール３０を、係止突起３２を前にしてピン部材２６に向かって移動する（図４（Ａ）中矢印Ａ）。このとき、レール３０の傾斜面３２１をベースプレート２４の外面２４２に近付けるように傾けて、係止突起３２をピン部材２６の笠部２６３とベースプレート２４との間に入れ易くした状態（図４（Ａ）において二点鎖線で表示）で移動させるようにしてもよい。
【００２１】
図４（Ｂ）に示すように、レール３０の先端の係止突起３２を笠部２６３とベースプレート２４との間に入れて、ピン部材２６の軸部２６１をレール３０の係止空間３３（図２参照）に収容する。
なお、レール３０を移動させる際に傾けている場合（図４（Ａ）中二点鎖線の状態）には、レール３０がベースプレート２４の外面２４２に接触するように、レール３０を平行にする。
【００２２】
このとき、レール３０を笠部２６３とベースプレート２４との間に挿入することにより、笠部２６３を上方（図４（Ｂ）において下方、矢印Ｂ参照）へ移動させる力、すなわち軸部２６１を下筐体２０の外側に引き出すような力が発生する。これにより、防水部材２６４をベースプレート２４の内面２４１に押し付けて圧縮する。
【００２３】
図４（Ｃ）に示すように、レール３０の係止突起３２の縁がピン部材２６の軸部２６１に当接するまで、レール３０を移動させる。
これにより、軸部２６１が収容空間３３に収容されるとともに、ピン部材２６の笠部２６３がレール３０の先端の収容空間３３に沿った段差３６に収容される。
そして、最後に、図３に示すように、ねじ２９によりレール３０の反対側端部３４をベースプレート２４に固定する。
【００２４】
以上、説明した本発明に係る実施形態の電子機器１０によれば、下筐体２０のベースプレート２４に設けられた貫通孔２７に挿通されたピン部材２６は、貫通孔２７に挿通された軸部２６１と、この軸部２６１の端部に設けられた鍔部２６２を有する。鍔部２６２は下筐体２０の内側において下筐体２０に収容されている回路基板２３に接続される。ベースプレート２４と鍔部２６２との間には、防水部材２６４が設けられている。
このようなピン部材２６は、下筐体２０の外側において外側端部２６５がレール３０に係合されており、ピン部材２６の軸部２６１が下筐体２０の外側に引き出される方向に力が発生するように係合している。
このため、鍔部２６２は防水部材２６４を介してベースプレート２４に押し付けられるので、防水部材２６４が変形して貫通孔２７における確実な防水性を得ることができる。また、ピン部材２６を介して回路基板２３とレール３０とが接続されるので、確実な電気接続を得ることができる。また、レール３０をピン部材２６の外側端部２６５に係合させることにより、回路基板２３とレール３０を接続できるので、容易に組み立てることができる。
【００２５】
また、本発明の電子機器１０では、ピン部材２６が、軸部２６１の外側端部２６５に下筐体２０の外側に突出する笠部２６３を有するので、レール３０をピン部材２６の外側端部２６５に係合させる際に、笠部２６３に引っかかる。このため、レール３０を確実にピン部材２６に係合させることができる。
また、レール３０のピン部材側端部３１に、軸部２６１を軸線に対して直交する方向に沿って挟持する係止突起３２を設けたので、レール３０を確実かつ容易にピン部材２６に係合させることができる。
【００２６】
なお、本発明の電子機器は、前述した実施形態に限定されるものでなく、適宜な変形，改良等が可能である。
前述した実施形態においては、レール３０におけるピン部材２６と反対側端部３４にねじ孔３５を設けて、ベースプレート２４の内面２４１側からねじ２９を挿入して、ねじ２９の先端部をねじ孔３５に螺合して固定する場合を例示した。この他、ベースプレート２４にねじ孔を設けるとともに、レール３０の反対側端部３４に貫通孔を設け、レール３０側からねじを挿入してベースプレートに固定することも可能である。
【産業上の利用可能性】
【００２７】
以上のように、本発明にかかる電子機器では、鍔部が防水部材を介して壁部に押し付けられるので、貫通孔における確実な防水性を得ることができる。また、ピン部材を介して回路基板とレールとが接続されるので、確実な電気接続を得ることができる。また、レールをピン部材の外側端部に係合させることにより回路基板とレールを接続できるので、容易に組み立てることができるという効果を有し、二つの筐体が相対的にスライドする電子機器において、防水構造の筐体内の回路基板と筐体の外側の金属部品とを電気的に接続する電子機器等として有用である。
【符号の説明】
【００２８】
１０  電子機器
２０  下筐体（第１筐体）
２３  回路基板
２４  ベースプレート（壁部）
２４２  外面
２６  ピン部材
２６１  軸部
２６２  鍔部
２６３  笠部（段部）
２６４  防水部材
２６５  外側端部
２７  貫通孔
３０  レール（案内部材）
３１  ピン部材側端部（長手方向端部）
３２  係止突起（挟持部）
４０  上筐体（第２筐体）
【図１】
2012191557.tif 000003
【図２】
2012191557.tif 000004
【図３】
2012191557.tif 000005
【図４】
2012191557.tif 000006
【図５】
2012191557.tif 000007